(57)【要約】【課題】ハンディスキャナ装置を省電力化する。【解決手段】無線タグ検出部１３は、収納先２１に設けられた無線タグ２４を検出し、デバイス１４は、無線タグ２４が検出されたか否かに基づいて電源電圧の供給が制御される。電源制御部１５は、無線タグ検出部１３が、無線タグ２４を検出したときにはデバイス１４への電源電圧の供給を遮断し、無線タグ検出部１３が、無線タグ２４を検出しないときにはデバイス１４へ電源電圧を供給する。【選択図】図１
2017146649.tif 000002
【特許請求の範囲】
【請求項１】
収納先に設けられた無線タグを検出する無線タグ検出部と、
前記無線タグが検出されたか否かに基づいて電源電圧の供給が制御されるデバイスと、
前記無線タグ検出部が、前記無線タグを検出したときには前記デバイスへの前記電源電圧の供給を遮断し、前記無線タグ検出部が、前記無線タグを検出しないときには前記デバイスへ前記電源電圧を供給する電源制御部と、
を有することを特徴とするハンディスキャナ装置。
【請求項２】
前記無線タグ検出部は、前記無線タグとしてＮＦＣタグを検出することを特徴とする請求項１に記載のハンディスキャナ装置。
【請求項３】
前記電源制御部は、前記無線タグが検出されている状態が、変更可能な第１の時間経過すると、前記デバイスへの前記電源電圧の供給を遮断する、ことを特徴とする請求項１または２に記載のハンディスキャナ装置。
【請求項４】
前記無線タグ検出部は、変更可能な第２の時間毎に前記無線タグの検出を行う、ことを特徴とする請求項１乃至３の何れか一項に記載のハンディスキャナ装置。
【請求項５】
検出された前記無線タグの第１の識別番号と、予め記憶部に保持されている第２の識別番号とを照合し、前記第１の識別番号と前記第２の識別番号とが合致しないときには、前記電源制御部に、前記デバイスへの前記電源電圧の供給を遮断させないように通知するプロセッサを、さらに有することを特徴とする請求項１乃至４の何れか一項に記載のハンディスキャナ装置。
【請求項６】
ハンディスキャナ装置のプロセッサは、前記ハンディスキャナ装置の収納先に設けられた無線タグを前記ハンディスキャナ装置の無線タグ検出部が検出したか否かを判定し、
前記プロセッサは、前記無線タグ検出部が前記無線タグを検出したときには、前記ハンディスキャナ装置の電源制御部に、前記無線タグが検出されたか否かに基づいて電源電圧の供給が制御されるデバイスへの前記電源電圧の供給を遮断させ、
前記プロセッサは、前記無線タグ検出部が前記無線タグを検出しないときには、前記電源制御部に、前記デバイスへ前記電源電圧を供給させる、
ことを特徴とする電源制御方法。
【請求項７】
ハンディスキャナ装置の収納先に設けられた無線タグを前記ハンディスキャナ装置の無線タグ検出部が検出したか否かを判定し、
前記無線タグ検出部が前記無線タグを検出したときには、前記ハンディスキャナ装置の電源制御部に、前記無線タグが検出されたか否かに基づいて電源電圧の供給が制御されるデバイスへの前記電源電圧の供給を遮断させ、
前記無線タグ検出部が前記無線タグを検出しないときには、前記電源制御部に、前記デバイスへ前記電源電圧を供給させる、
処理をコンピュータに実行させるプログラム。
【発明の詳細な説明】
【技術分野】
【０００１】
本発明は、ハンディスキャナ装置、電源制御方法及びプログラムに関する。
【背景技術】
【０００２】
ハンディスキャナ装置は、運送業、倉庫での商品管理などにおいて、幅広く使用されている。
従来のハンディスキャナ装置は、たとえば、ユーザの腰ベルトに装着された専用のホルダに収納され、使用時には、そのホルダから取り出され、ユーザによって電源がオンされる。ハンディスキャナ装置には、使用時の地面への落下防止用に、帯紐状でリング構造のリストストラップが取りつけ可能である。ユーザは、自身の手をリストストラップのリング構造内に通した状態でハンディスキャナ装置を使用する。そして、使用終了時には、ハンディスキャナ装置の電源が、ユーザによってオフされる。
【０００３】
なお、従来、通信手段と制御手段と検出手段と、筺体をユーザの手首に装着するためのベルトを有する携帯端末が提案されている。検出手段は、ユーザが手を開くことでベルトに作用する張力に応じた検出値を検出し、制御手段は、検出値が閾値を超える状態がある期間継続すると、通信手段を通信状態とする。
【先行技術文献】
【特許文献】
【０００４】
【特許文献１】特開２０１１−１７０６６０号公報
【発明の概要】
【発明が解決しようとする課題】
【０００５】
ところで、たとえば、宅配便などのセールスドライバーのように、頻繁にハンディスキャナ装置を使用するユーザにとって、電源のオンオフの操作は煩雑であり、電源をオンにしたままとすることが考えられる。そのため、電力が多く消費され、バッテリの消費が早くなってしまうという問題があった。
【０００６】
上記の点を鑑みて、一側面では、本発明は、省電力化が図れるハンディスキャナ装置、電源制御方法及びプログラムを提供することを目的とする。
【課題を解決するための手段】
【０００７】
発明の一観点によれば、収納先に設けられた無線タグを検出する無線タグ検出部と、前記無線タグが検出されたか否かに基づいて電源電圧の供給が制御されるデバイスと、前記無線タグ検出部が、前記無線タグを検出したときには前記デバイスへの前記電源電圧の供給を遮断し、前記無線タグ検出部が、前記無線タグを検出しないときには前記デバイスへ前記電源電圧を供給する電源制御部と、を有するハンディスキャナ装置が提供される。
【０００８】
また、発明の一観点によれば、ハンディスキャナ装置のプロセッサは、前記ハンディスキャナ装置の収納先に設けられた無線タグを前記ハンディスキャナ装置の無線タグ検出部が検出したか否かを判定し、前記プロセッサは、前記無線タグ検出部が前記無線タグを検出したときには、前記ハンディスキャナ装置の電源制御部に、前記無線タグが検出されたか否かに基づいて電源電圧の供給が制御されるデバイスへの前記電源電圧の供給を遮断させ、前記プロセッサは、前記無線タグ検出部が前記無線タグを検出しないときには、前記電源制御部に、前記デバイスへ前記電源電圧を供給させる、電源制御方法が提供される。
【０００９】
また、発明の一観点によれば、ハンディスキャナ装置の収納先に設けられた無線タグを前記ハンディスキャナ装置の無線タグ検出部が検出したか否かを判定し、前記無線タグ検出部が前記無線タグを検出したときには、前記ハンディスキャナ装置の電源制御部に、前記無線タグが検出されたか否かに基づいて電源電圧の供給が制御されるデバイスへの前記電源電圧の供給を遮断させ、前記無線タグ検出部が前記無線タグを検出しないときには、前記電源制御部に、前記デバイスへ前記電源電圧を供給させる、処理をコンピュータに実行させるプログラムが提供される。
【発明の効果】
【００１０】
開示のハンディスキャナ装置、電源制御方法及びプログラムによれば、ハンディスキャナ装置を省電力化できる。
【図面の簡単な説明】
【００１１】
【図１】本実施の形態のハンディスキャナ装置とその収納先の一例、及びハードウェア構成の一例を示す図である。
【図２】本実施の形態のハンディスキャナ装置の一例の外観図である。
【図３】ハンディスキャナ装置の収納例を示す図である。
【図４】電源制御方法の一例の流れを説明するフローチャートである。
【図５】検出周期と電源オフ待機時間の設定テーブルの一例を示す図である。
【図６】ハンディスキャナ装置の適用例を示す図である。
【発明を実施するための形態】
【００１２】
以下、発明を実施するための形態を、図面を参照しつつ説明する。
図１は、本実施の形態のハンディスキャナ装置とその収納先の一例、及びハードウェア構成の一例を示す図である。
【００１３】
図１に示すようにハンディスキャナ装置１０には、ストラップ１０ａの一端が取り付け可能である。また、ストラップ１０ａの他端は、ユーザの手首２０に取り付けられるリストバンド（収納先）２１に設けられたストラップレーン２２に固定可能である。リストバンド２１には、さらに、面ファスナ２３と無線タグ２４が設けられている。
【００１４】
ハンディスキャナ装置１０は、プロセッサ１１、記憶部１２、無線タグ検出部１３、デバイス１４、電源制御部１５、電源１６を有している。
次にハンディスキャナ装置１０のハードウェア構成について説明する。
【００１５】
プロセッサ１１は、ハンディスキャナ装置１０の各部を制御する。プロセッサ１１は、マルチプロセッサであってもよい。プロセッサ１１は、たとえばＣＰＵ（Central Processing Unit）、ＭＰＵ（Micro Processing Unit）、ＤＳＰ（Digital Signal Processor）、ＡＳＩＣ（Application Specific Integrated Circuit）、またはＰＬＤ（Programmable Logic Device）である。またプロセッサ１１は、ＣＰＵ、ＭＰＵ、ＤＳＰ、ＡＳＩＣ、ＰＬＤのうちの２以上の要素の組み合わせであってもよい。
【００１６】
記憶部１２は、たとえば、プロセッサ１１に実行させるプログラムや各種データを保持するフラッシュメモリや、プロセッサ１１に実行させるプログラムの少なくとも一部が一時的に格納されるＲＡＭ（Random Access Memory）を含む。また、記憶部１２には、無線タグ２４の固有の識別番号（ＩＤ（Identification））と、同じＩＤが記憶される。たとえば、後述する通信処理部１４ｄを用いたペアリング設定により、無線タグ２４のＩＤと記憶部１２に記憶されるＩＤとを同一に設定できる。
【００１７】
無線タグ検出部１３は、リストバンド２１が備える無線タグ２４を検出する。無線タグ検出部１３は、図示しないアンテナを含み、無線タグ２４に電力を供給するためにアンテナから電波を送信する。また、無線タグ検出部１３は、無線タグ２４からの情報をアンテナで受信することで、無線タグ２４を検出する。無線タグ検出部１３は、無線タグ２４を検出した旨をプロセッサ１１に通知するために、たとえば、受信した情報をプロセッサ１１に送信する。
【００１８】
なお、無線タグ２４は、図示を省略しているが、無線タグ２４のＩＤを記憶するＩＣ（Integrated Circuit）チップと、アンテナを有している。無線タグ２４は、たとえば、ＮＦＣ（Near Field Communication）タグである。無線タグ２４では、無線タグ検出部１３からの電波を受信することで発生する起電力によりチップが起動する。そして、ＩＤなどの情報が無線タグ２４のアンテナから送信される。
【００１９】
無線タグ２４として、ＮＦＣタグを用いた場合、無線タグ検出部１３と無線タグ２４との距離が、たとえば、数ｃｍ程度以下となったとき、無線タグ２４が検出される。
デバイス１４は、後述の電源制御部１５によって、無線タグ２４が検出されたか否かに基づいて電源電圧の供給が制御される。デバイス１４は、たとえば、スキャナ部１４ａ、表示部１４ｂ、操作部１４ｃ、通信処理部１４ｄを含む。
【００２０】
スキャナ部１４ａは、バーコードなどの情報を光学的に読み取る。表示部１４ｂは、たとえば、ＬＣＤ（Liquid Crystal Display）などのディスプレイである。操作部１４ｃは、たとえば、ユーザによって操作されるキーボードである。通信処理部１４ｄは、たとえば、無線ＬＡＮ（Local Area Network）で、図示しないサーバ装置やプリンタなどと通信を行う。
【００２１】
また、通信処理部１４ｄは、たとえば、ハンディスキャナ装置１０の初期動作時において、無線タグ２４のＩＤと、記憶部１２に記憶されているＩＤとを同一にする設定（ペアリング設定）のために、無線タグ２４と通信を行ってもよい。
【００２２】
なお、デバイス１４として、撮像装置などが含まれていてもよい。
電源制御部１５は、ハンディスキャナ装置１０の各部への電源電圧の供給を制御する。電源制御部１５は、デバイス１４に対しては、無線タグ検出部１３が無線タグ２４を検出したときには電源電圧の供給を遮断し、無線タグ検出部１３が無線タグ２４を検出しないときには電源電圧を供給する。
【００２３】
電源制御部１５は、たとえば、デバイス１４と電源１６との間に設けられる図示しない複数のスイッチを有する回路である。複数のスイッチは、たとえば、プロセッサ１１からの制御信号によってオンオフが制御される。
【００２４】
電源１６は、バッテリである。たとえば、バッテリは充電可能なものである。
図２は、本実施の形態のハンディスキャナ装置の一例の外観図である。
ハンディスキャナ装置１０の前面には、表示部１４ｂと操作部１４ｃが設けられている。さらに、側面には、ストラップ１０ａを取り付けるための取り付け穴１７が形成されている。
【００２５】
また、図２では図示されていないが、ハンディスキャナ装置１０の背面には、リストバンド２１の面ファスナ２３に対して貼り付けたり剥がしたりできるように、別の面ファスナが固着され、さらに、図１に示したスキャナ部１４ａについても、ハンディスキャナ装置１０の背面に設けられている。
【００２６】
ハンディスキャナ装置１０の幅ｗは、たとえば、４５ｍｍ程度、高さｈは、たとえば、１３０ｍｍ程度、厚さｄは、たとえば、２０ｍｍ程度（厚い部分では３５ｍｍ程度）である。
【００２７】
図３は、ハンディスキャナ装置の収納例を示す図である。
ハンディスキャナ装置１０の背面の図示しない面ファスナが、リストバンド２１の面ファスナ２３に貼り付けられ、ハンディスキャナ装置１０が固定されている。
【００２８】
以下、ハンディスキャナ装置１０の電源制御方法の一例の流れを説明する。
図４は、電源制御方法の一例の流れを説明するフローチャートである。
たとえば、ユーザによる電源オン操作が発生すると、電源制御部１５は、プロセッサ１１、記憶部１２、無線タグ検出部１３に電源電圧を供給する。電源オン操作は、ユーザによる図示しない電源スイッチの切り替え、または、ユーザによる操作部１４ｃの電源ボタンの押下などである。そしてプロセッサ１１の制御のもと、たとえば、記憶部１２のフラッシュメモリに格納されているプログラムが、記憶部１２のＲＡＭにロードされる（ステップＳ１）。
【００２９】
その後、プロセッサ１１は、無線タグ検出部１３から出力される信号に基づき、無線タグ検出部１３が、無線タグ２４を検出したか否かを判定する（ステップＳ２）。
たとえば、ハンディスキャナ装置１０の使用時のように（図１参照）、ハンディスキャナ装置１０が収納先であるリストバンド２１から離れている場合には、無線タグ２４は検出されない。その場合（ステップＳ２ＮＯ）、プロセッサ１１の制御のもと、電源制御部１５は、電源電圧をデバイス１４に供給する（なお、既に供給中では、デバイス１４への電源電圧の供給が維持される）（ステップＳ３）。
【００３０】
その後、プロセッサ１１は、ステップＳ２の処理タイミングから、所定時間（検出周期）が経過したか否かを判定する（ステップＳ４）。検出周期が経過していない場合には（ステップＳ４ＮＯ）、ステップＳ４の処理が繰り返される。検出周期が経過した場合には（ステップＳ４ＹＥＳ）、ステップＳ２からの処理が繰り返される。
【００３１】
無線タグ２４が検出されているか否かを常に判定せず、検出周期ごとに実施されるようにすることで、消費電力を削減できる。検出周期は、たとえば、５００ｍｓ程度に設定される。
【００３２】
ステップＳ２の処理時において、たとえば、ハンディスキャナ装置１０の未使用時のように（図３参照）、ハンディスキャナ装置１０が収納先であるリストバンド２１の面ファスナ２３に貼り付けられている場合には、無線タグ２４が検出される。
【００３３】
無線タグ２４が検出されると、その場合（ステップＳ２ＹＥＳ）、プロセッサ１１は、記憶部１２に記憶されている無線タグ２４のＩＤと、検出された無線タグ２４のＩＤとを照合し、検出された無線タグ２４のＩＤが、記憶されているものと合致しているか否かを判定する（ステップＳ５）。
【００３４】
検出された無線タグ２４のＩＤが、記憶されているものと合致していない場合には（ステップＳ５ＮＯ）、ステップＳ８の処理が行われる。検出された無線タグ２４のＩＤが、記憶されているものと合致する場合には（ステップＳ５ＹＥＳ）、ステップＳ６の処理が行われる。ステップＳ５の判定処理を行うことで、ハンディスキャナ装置１０の使用中に、リストバンド２１の無線タグ２４とは異なるＩＤをもつ無線タグを検出して、誤ってデバイス１４の電源をオフにしてしまうことを防止できる。
【００３５】
ステップＳ６の処理では、プロセッサ１１は、たとえば、同じＩＤの無線タグ２４が検出されている状態（検出状態）が、所定時間（電源オフ待機時間）経過したか否かを判定する。検出状態が電源オフ待機時間経過していない場合には（ステップＳ６ＮＯ）、ステップＳ８の処理が行われる。検出状態が電源オフ待機時間経過すると、その場合（ステップＳ７ＹＥＳ）、プロセッサ１１の制御のもと、電源制御部１５は、デバイス１４への電源電圧の供給を遮断する（ステップＳ７）。
【００３６】
このように、ステップＳ５の処理後、すぐにデバイス１４への電源電圧の供給が遮断されるのではなく、検出状態が電源オフ待機時間経過してからデバイス１４への電源電圧の供給が遮断される。
【００３７】
これにより、ユーザが収納先にハンディスキャナ装置１０を固定した後、すぐに収納先から取り外して使用する際に、検出状態が電源オフ待機時間より短ければ、デバイス１４の電源はオフされない。したがって、デバイス１４の電源が立ち上がるまでユーザによるハンディスキャナ装置１０の使用を制限することを防止できる。
【００３８】
ステップＳ７の処理後、プロセッサ１１は、ステップＳ２の処理タイミングから、検出周期が経過したか否かを判定する（ステップＳ８）。検出周期が経過していない場合には（ステップＳ８ＮＯ）、ステップＳ８からの処理が繰り返される。検出周期が経過した場合には（ステップＳ８ＹＥＳ）、ステップＳ２からの処理が繰り返される。
【００３９】
上記の処理中に、ユーザによる電源オフ操作が発生した場合には、ハンディスキャナ装置１０の処理が終了する。
なお、上記の処理において、プロセッサ１１の代わりに、無線タグ検出部１３が直接、電源制御部１５に対して、無線タグ２４を検出したか否かを示す信号を通知してもよい。
【００４０】
また、上記の処理における検出周期と、電源オフ待機時間は、変更可能である。
図５は、検出周期と電源オフ待機時間の設定テーブルの一例を示す図である。
設定テーブル３０では、検出周期と電源オフ待機時間が管理される。たとえば、検出周期は１００ｍｓから１ｓの間で設定され、電源オフ待機時間は１ｓから１０ｓの間で設定される。
【００４１】
設定テーブル３０は、たとえば、図１に示した記憶部１２に記憶されており、図４のステップＳ５，Ｓ７，Ｓ９の処理時に、記憶部１２から読み出されて用いられる。検出周期と電源オフ待機時間は、たとえば、ユーザによる操作部１４ｃの操作にて変更可能である。
【００４２】
上記の処理のように、本実施の形態のハンディスキャナ装置１０では、ハンディスキャナ装置１０が収納先に存在するとき（つまり未使用時）は、無線タグ２４が検出され、電源制御部１５によって、自動的にデバイス１４への電源電圧が遮断される。これによって、ハンディスキャナ装置１０を省電力化できる。
【００４３】
また、ハンディスキャナ装置１０が収納先から離れ、無線タグ２４が検出されなくなると、電源制御部１５によって、自動的にデバイス１４へ電源電圧が供給される。これによって、ユーザは、煩わしい電源スイッチの操作から解放され、迅速にハンディスキャナ装置１０の使用を再開できる。このため、たとえば、宅配便のセールスドライバーなど、比較的頻繁にスキャナ部１４ａを用いた作業を繰り返すユーザの作業性を向上できる。
【００４４】
なお、図１に示したように、面ファスナ２３を備えたリストバンド２１を収納先とすることで、より作業性が向上する。
図６は、ハンディスキャナ装置の適用例を示す図である。図６において、図１、図３に示した要素と同じ要素については同一符号が付されている。
【００４５】
たとえば、ユーザが荷物４０を運ぶ際は、ハンディスキャナ装置１０は、リストバンド２１の面ファスナ２３に貼り付けられている。なお、荷物４０を運ぶ際にハンディスキャナ装置１０が邪魔にならないように、面ファスナ２３は、ユーザの手の甲側に設けられることが望ましい。
【００４６】
ただ、収納先としては、上記のようなリストバンド２１に限定されない。たとえば、収納先が、腰ベルトに装着するホルダであってもよいし、作業着のポケットなどであってもよい。このような収納先に、ハンディスキャナ装置１０の記憶部１２に格納されているＩＤと同じＩＤをもつ無線タグ２４を設けるだけで、上記と同様の効果が得られる。
【００４７】
なお、上記の処理機能は、コンピュータによって実現することができる。その場合、ハンディスキャナ装置１０が有すべき機能の処理内容を記述したプログラムが提供される。そのプログラムをコンピュータで実行することにより、上記処理機能がコンピュータ上で実現される。処理内容を記述したプログラムは、コンピュータで読み取り可能な可搬型記録媒体に記録しておくことができる。コンピュータで読み取り可能な可搬型記録媒体としては、ＳＤ（Secure Digital）カード、ｍｉｎｉＳＤカード、ｍｉｃｒｏＳＤカードなどがある。光磁気記録媒体には、ＭＯ（Magneto-Optical disk）などがある。
【００４８】
プログラムを流通させる場合には、たとえば、そのプログラムファイルが記録されたＳＤカードなどの可搬型記録媒体が利用される。また、プログラムをサーバコンピュータの記憶装置に格納しておき、ネットワークを介して、サーバコンピュータから他のコンピュータにそのプログラムを転送することもできる。
【００４９】
プログラムを実行するコンピュータは、たとえば、可搬型記録媒体に記録されたプログラムもしくはサーバコンピュータから転送されたプログラムを、自己の記憶装置に格納する。そして、コンピュータは、自己の記憶装置からプログラムを読み取り、プログラムに従った処理を実行する。なお、コンピュータは、可搬型記録媒体から直接プログラムを読み取り、そのプログラムに従った処理を実行することもできる。また、コンピュータは、ネットワークを介して接続されたサーバコンピュータからプログラムが転送されるごとに、逐次、受け取ったプログラムに従った処理を実行することもできる。
【００５０】
また、上記の処理機能の少なくとも一部を、ＤＳＰ、ＡＳＩＣ、ＰＬＤなどの電子回路で実現することもできる。
以上、実施の形態に基づき、本発明のハンディスキャナ装置、電源制御方法及びプログラムの一観点について説明してきたが、これらは一例にすぎず、上記の記載に限定されるものではない。
【符号の説明】
【００５１】
１０  ハンディスキャナ装置
１０ａ  ストラップ
１１  プロセッサ
１２  記憶部
１３  無線タグ検出部
１４  デバイス
１４ａ  スキャナ部
１４ｂ  表示部
１４ｃ  操作部
１４ｄ  通信処理部
１５  電源制御部
１６  電源
２０  手首
２１  リストバンド
２２  ストラップレーン
２３  面ファスナ
２４  無線タグ
【図１】
2017146649.tif 000003
【図２】
2017146649.tif 000004
【図３】
2017146649.tif 000005
【図４】
2017146649.tif 000006
【図５】
2017146649.tif 000007
【図６】
2017146649.tif 000008